(57)【要約】【課題】操作感が向上した光学機器を提供する。【解決手段】光学機器（１）を、第１の部材（２０）と、前記第１の部材に対し相対移動可能に設けられた第２の部材（１０）と、前記第１の部材及び前記第２の部材の相対移動により操作される光学系（Ｌ１、Ｌ３、Ｌ４）と、前記第１の部材及び前記第２の部材の一方の部材に設けられかつ他方の部材に接触可能とされ、前記相対移動の方向に沿った断面形状に前記相対移動方向に非対称な形状が含まれる弾性部材（９２）とを備える構成とした。【選択図】図４
2008052219.tif 000002
【特許請求の範囲】
【請求項１】
第１の部材と、
前記第１の部材に対し相対移動可能に設けられた第２の部材と、
前記第１の部材及び前記第２の部材の相対移動により操作される光学系と、
前記第１の部材及び前記第２の部材の一方の部材に設けられかつ他方の部材に接触可能とされ、前記相対移動の方向に沿った断面形状に前記相対移動方向に非対称な形状が含まれる弾性部材と
を備える光学機器。
【請求項２】
請求項１に記載の光学機器において、
前記第１の部材は、
入力操作に応じて駆動される操作部材であること
を特徴とする光学機器。
【請求項３】
請求項１又は請求項２に記載の光学機器において、
前記弾性部材の前記非対称な断面形状が略平行四辺形であること
を特徴とする光学機器。
【請求項４】
請求項１から請求項３までのいずれか１項に記載の光学機器において、
前記弾性部材が前記第１の部材又は前記第２の部材に設けられた凹部に収容され、
前記凹部と前記弾性部材との間に設けられた空間の容積が前記相対移動の方向に沿った一方の方向側と他方の方向側とで異なること
を特徴とする光学機器。
【請求項５】
請求項１から請求項４までのいずれか１項に記載の光学機器において、
前記第１の部材がズーム操作部であること
を特徴とする光学機器。
【発明の詳細な説明】
【技術分野】
【０００１】
本発明は、光学機器に関するものである。
【背景技術】
【０００２】
光学機器であるレンズ鏡筒は、固定部材とズーム操作用の操作部材との間にゴム片を挿入し、操作感の向上を図ったものが知られている（例えば、特許文献１参照）。
【特許文献１】特開平８−２８６０９０号公報
【発明の開示】
【発明が解決しようとする課題】
【０００３】
この従来のレンズ鏡筒は、例えば、光軸を傾けて撮影を行う場合、レンズの自重等に起因して撮影者が操作部材を操作する際に要求される入力量に差が発生し、撮影者に違和感を与える可能性があった。
本発明の課題は、操作感が向上した光学機器を提供することである。
【課題を解決するための手段】
【０００４】
本発明は、以下の解決手段により、前記課題を解決する。なお、理解を容易にするために、本発明の実施形態を示す図面に対応する符号を付して説明するが、これに限定されるものではない。
請求項１の発明は、第１の部材（２０）と、前記第１の部材に対し相対移動可能に設けられた第２の部材（１０）と、前記第１の部材及び前記第２の部材の相対移動により操作される光学系（Ｌ１、Ｌ３、Ｌ４）と、前記第１の部材及び前記第２の部材の一方の部材に設けられかつ他方の部材に接触可能とされ、前記相対移動の方向に沿った断面形状に前記相対移動方向に非対称な形状が含まれる弾性部材（９２）とを備える光学機器（１）である。
【０００５】
請求項２の発明は、請求項１に記載の光学機器において、前記第１の部材（１０）は、入力操作に応じて駆動される操作部材であることを特徴とする光学機器（１）である。
請求項３の発明は、請求項１又は請求項２に記載の光学機器において、前記弾性部材（９２）の前記非対称な断面形状が略平行四辺形であることを特徴とする光学機器（１）である。
請求項４の発明は、請求項１から請求項３までのいずれか１項に記載の光学機器において、前記弾性部材（９２）が前記第１の部材（１０）又は前記第２の部材（２０）に設けられた凹部（９１）に収容され、前記凹部と前記弾性部材との間に設けられた空間の容積が前記相対移動の方向に沿った一方の方向側と他方の方向側とで異なることを特徴とする光学機器（１）である。
【０００６】
請求項５の発明は、請求項１から請求項４までのいずれか１項に記載の光学機器において、前記第１の部材（２０）がズーム操作部であることを特徴とする光学機器（１）である。
なお、符号を付して説明した構成は適宜変更してもよく、また、少なくとも一部を他の構成物に代替してもよい。
【発明の効果】
【０００７】
以上説明したように、本発明の光学機器は、弾性部材の形状差に起因して弾性体と他方の部材との間の摩擦力が変化するから操作性を向上することができる。
【発明を実施するための最良の形態】
【０００８】
［実施形態］
以下、図面を参照して、本発明の実施形態をあげて、さらに詳しく説明する。なお、以下の実施形態は、光学機器としてレンズ鏡筒を例にとって説明する。
図１は、実施形態のレンズ鏡筒の光軸を含む断面を示す断面図である。
図２は、図１のレンズ鏡筒に備えられたカム筒の内周面の展開図である。
図３は、図１のIII−III矢視部断面図である。
【０００９】
レンズ鏡筒１は、図示しないカメラ本体に着脱可能に装着される交換レンズ鏡筒であり、全体的な形状が略円筒形状となっている。
レンズ鏡筒１は、第１レンズ群Ｌ１、第２レンズ群Ｌ２、第３レンズ群Ｌ３、第４レンズ群Ｌ４、基部１０、ズーム操作筒２０、固定筒３０、カム筒４０、第１群保持筒５０、第２群保持筒６０、第３群保持枠７０、第４群保持枠８０、及び、抵抗付与部９０を備えている。
第１レンズ群Ｌ１、第２レンズ群Ｌ２、第３レンズ群Ｌ３及び第４レンズ群Ｌ４は、協働して４群構成のズームレンズを形成するものであり、光軸Ａに沿って対物側から像側に向かってこの順番で配列されている。また、第２レンズ群Ｌ２は、フォーカスレンズとして機能するようになっている。
【００１０】
基部１０は、例えば、合成樹脂材料によって筒状に形成され、その中心軸線が光軸Ａと略一致して配置されている。基部１０は、光軸方向像側の端部にマウント部１１を備えており、このマウント部１１を介してカメラ本体に着脱可能に装着される。基部１０は、その外周面にマニュアルフォーカス時の合焦操作環１２や、例えば、ブレ補正ユニットの作動、非作動を選択するスイッチ１３等を備えている。
【００１１】
ズーム操作筒２０は、例えば、合成樹脂材料によって筒状に形成され、その光軸方向像側の端部が、基部１０の光軸方向対物側の端部に接続されている。
ここで、基部１０は、光軸方向対物側の端部の外径寸法がズーム操作筒２０の内径寸法よりも小さくなっており、この部分がズーム操作筒２０の内径側に挿入されている。
このズーム操作筒２０が基部１０に挿入されている部分において、基部１０とズーム操作筒２０との間には、ズーム操作筒２０の基部１０に対する摺動を許容する程度の微小な隙間が設けられており、ズーム操作筒２０は、基部１０に対して光軸回りに回転可能となっている。
【００１２】
レンズ鏡筒１は、撮影者等によってズームレンズの焦点距離が変更される際、このズーム操作筒２０が基部１０に対して光軸回りに回転されるようになっている。
このズーム操作筒２０は、レンズ鏡筒１を光軸方向対物側から見た場合、ズームアップ操作時に基部１０に対して、例えば、反時計回り方向に回転操作され、ズームダウン操作時に、例えば、時計回り方向に回転操作される。
ズーム操作筒２０は、その外周面にシート状のゴムが巻き付けられている。このゴムは、撮影者がズーム操作を行う際の滑り止めとして機能するものである。
【００１３】
固定筒３０は、ズーム操作筒２０の内径側に挿入される筒体であり、基部１０に対して固定されている。
この固定筒３０は、後述する第１群保持筒５０に設けられたカムフォロワピン５１が挿入される直進案内溝３１、及び、第３群保持枠７０、第４群保持枠８０にそれぞれ設けられたカムフォロワピン７１、８１が挿入される直進案内溝３２を備えている（図２参照）。
【００１４】
カム筒４０は、ズーム操作筒２０の内径側であって、固定筒３０の外径側に挿入される筒体である。
カム筒４０は、後述する第１群保持筒５０、第３群保持枠７０、第４群保持枠８０にそれぞれ設けられたカムフォロワピン５１、７１、８１が挿入されるカム溝４１を備えている（図２参照）。このカム溝４１の形状については、後に詳しく説明する。
カム筒４０は、前述のズーム操作筒２０に設けられた図示しないレバーによって基部１０に対して光軸回りに回転されるようになっており、ズーム操作筒２０が光軸回りに回転操作されると、これに連動して基部１０に対して光軸回りに回転するようになっている。
【００１５】
第１群保持筒５０は、ズーム操作筒２０とカム筒４０との間に挿入される筒体である。第１群保持筒５０は、光軸方向対物側の端部であって、その内径側に第１レンズ群Ｌ１が固定されている。
また、第１群保持筒５０は、光軸方向像側の端部にその内径側に突き出して形成されたカムフォロワピン５１を備えている。このカムフォロワピン５１は、カム筒４０のカム溝４１を貫通して固定筒３０の直進案内溝３１に挿入されている（図２参照）。
【００１６】
第１群保持筒５０は、リード溝筒５２を備えている。リード溝筒５２は、固定筒３０の内径側に配置される筒体であり、光軸方向対物側の端部が第１群保持筒５０の光軸方向対物側の端部にボルト５３によって固定されている。リード溝筒５２は、第１群保持筒５０と連動して光軸方向に駆動されるようになっている。
このリード溝筒５２と固定筒３０との間には、第２群駆動筒５４が挿入されている。
第２群駆動筒５４は、フォーカシング用の合焦操作環１２からの入力に応じて、又は、アクチュエータ５５によって駆動されることによって基部１０に対して光軸回りに回転される。
【００１７】
第２群保持筒６０は、リード溝筒５２の内径側に挿入される筒体である。この第２群保持筒６０の光軸方向対物側の端部には、第２レンズ群Ｌ２が固定されている。
第２群保持筒６０は、その外周面から外径側に突き出して設けられたカムフォロワピン６１を備えている。このカムフォロワピン６１は、リード溝筒５２に形成された図示しない直進案内溝を貫通してその先端部が第２群駆動筒５４に形成されたカム溝（図示省略）に挿入されている。
レンズ鏡筒１は、第２群駆動筒５４が光軸回りに回転されるとカム機構によって第２群保持筒６０が光軸方向に駆動され、これによってフォーカシングが行われるようになっている。なお、図１は、光軸Ａを境界とした上下の部分において第２群保持筒６０の駆動前後の状態を示している。
【００１８】
第３群保持枠７０は、第３レンズ群Ｌ３をその内径側に保持する円環状の枠体である。この第３群保持枠７０は、その外周面から外径側に突き出して形成されたカムフォロワピン７１を備えている。カムフォロワピン７１は、固定筒３０に形成された直進案内溝３２（図２参照）を貫通し、カム筒４０に設けられたカム溝４１にその先端部が挿入されている。
第４群保持枠８０は、第４レンズ群Ｌ４をその内径側に保持する円筒状の枠体である。この第４群保持枠８０は、その外周面から外径側に突き出して形成されたカムフォロワピン８１を備えている。カムフォロワピン８１は、固定筒３０に形成された直進案内溝３２（図２参照）を貫通し、カム筒４０に設けられたカム溝４１にその先端部が挿入されている。
【００１９】
次に、カム筒４０に設けられたカム溝４１について説明する。
カム溝４１は、第１群駆動カム溝４２、第３群駆動カム溝４３及び第４群駆動カム溝４４を備え、これらは光軸回りに、例えば、３組設けられている。３組のカム溝４１は、それぞれ略同じカムプロファイルを有しているので、ここでは、そのうちの一組についてのみ説明する。
【００２０】
第１群駆動カム溝４２は、テレ側の端部がカム筒４０の光軸方向対物側の端部近傍に、ワイド側の端部がカム筒４０の光軸方向像側の端部近傍にそれぞれ配置されている。第１群駆動カム溝４２は、テレ側の端部とワイド側の端部とが、光軸Ａに平行な軸線に対して傾斜して配置された略直線状の溝によって繋がれた直線溝である。
【００２１】
第３群駆動カム溝４３は、全体的にカーブした曲線溝である。この第３群駆動カム溝４３は、ワイド側の領域においてテレ側の領域よりもその勾配が緩くなっている。
この第３群駆動カム溝４３は、そのテレ側の端部が第１群駆動カム溝４２のテレ側の端部よりも光軸方向像側に配置され、そのワイド側の端部が第１群駆動カム溝４２のワイド側の端部よりも光軸方向対物側に配置されている。
第４群駆動カム溝４４は、そのテレ側の端部が第３群駆動カム溝４３のテレ側の端部よりも光軸方向像側に配置されている。また、第４群駆動カム溝４４におけるワイド側の端部の光軸方向の位置は、第１群駆動カム溝４２のワイド側の端部の位置と略同じとなっている。
【００２２】
第４群駆動カム溝４４は、非駆動領域４４ａと駆動領域４４ｂとを備えている。
非駆動領域４４ａは、第４群駆動カム溝４４のワイド側の端部を含み、カム筒４０の周方向と略平行に形成された溝である。第４群保持枠８０は、そのカムフォロワ８１がこの非駆動領域に位置している場合、カム筒４０が回転しても光軸方向に実質的に駆動されないようになっている。
駆動領域４４ｂは、第４群駆動カム溝４４のテレ側の端部を含み、光軸Ａに平行な軸線に対して傾斜して配置された直線溝である。
これらの非駆動領域４４ａと駆動領域４４ｂとは、連続して形成されており、その境界部は、カム筒４０の光軸方向像側の端部近傍であって、第１群駆動カム溝４２のワイド側の端部の近傍に配置されている。
【００２３】
図１、図４において、抵抗付与部９０は、ズーム操作筒２０が基部１０に挿入された部分においてこれらの間に配置されている。この抵抗付与部９０は、ズーム操作筒２０を撮影者が回転操作する際の回転抵抗を、仮にこの抵抗付与部９０がないとした場合に比べ向上させるものである。
レンズ鏡筒１は、この回転抵抗が大きい程、撮影者がズーム操作筒２０を回転させる際に要求される入力量が大きくなる。
抵抗付与部９０は、図３、図４に示すように、光軸回りに、例えば、１２０°離間して３箇所設けられている。これらの３つの抵抗付与部９０の構成は、略同じであるため、以下、これらのうちのひとつについて説明する。
【００２４】
図４は、図３のIV部拡大図であり、抵抗付与部を示す断面図である。
また、図４（ａ）は、抵抗付与部に備えられたゴム片の断面図を示し、図４（ｂ）、（ｃ）は、それぞれズームレンズをテレ側からワイド側に、ワイド側からテレ側に移動させる際の抵抗付与部の状態をそれぞれ示している。
抵抗付与部９０は、収容部９１及びゴム片９２を備えている。
収容部９１は、基部１０の外周面が凹まされて形成された部分である。この収容部９１は、基部１０の光軸方向対物側の端部であって、ズーム操作筒２０の内径側に挿入された部分に形成されている。この収容部９１の底部９１ａは、基部１０の径方向に垂直な平面になっている。
【００２５】
収容部９１は、その深さ方向に直交する断面の形状が、略長方形となっている。そして、この収容部９１の深さ方向に直交する断面は、光軸方向の寸法が一定であるのに対し、基部１０の周方向に沿った寸法が、底部９１ａ側から開口部側に向けて次第に大きくなるように形成されている。
ここで、収容部９１の４つの壁面部のうち、光軸方向に直交した２つの対向する壁面部、及び、これに直交する壁面部の一方は、底部９１ａに対して略垂直な平面となっている。
これに対し、残りのひとつの壁面部は、底部９１ａに対して傾斜しており、収容部９１は、光軸Ａに直交する断面視において、その断面形状が略台形状に形成されている（図４（ｂ）参照）。以下、この底部９１ａに対して傾斜した面部を傾斜面部９１ｂと称して説明する。
【００２６】
ここで、この傾斜面部９１ｂが形成された位置について説明する。なお、ここでは、便宜的にカメラ本体を通常撮影位置としたときに収容部９１が鉛直方向上方に開口する位置に形成された抵抗付与部９０ａについて説明する。傾斜面部９１ｂは、収容部９１の４つの壁面部のうち、レンズ鏡筒１を光軸方向対物側からみた場合に、左方の壁面部に設けられている。
傾斜面部９１ｂは、他の二つの抵抗付与部９０の収容部９１についても同様に設けられており、これらの収容部９１の開口部を鉛直方向上方に向けてレンズ鏡筒１を光軸方向対物側からみた場合に左方の壁面部に設けられている。
また、収容部９１は、凸部９３を備えている。凸部９３は、収容部９１における底部９１ａの略中央部から突き出して形成された略円柱状の突起である。
【００２７】
ゴム片９２は、例えば、ゴム等の弾性変形が可能な材料によって形成されている。このゴム片９２は、その表面に６つの平面部を備える六面体であり、その底面部９２ａが収容部９１の底部９１ａに対向した状態で収容部９１に収容されている。
このゴム片９２の底面部９２ａの外形寸法は、収容部９１の底部９１ａの寸法と略同じとなっており、ゴム片９２は、収容部９１に収容された状態において、光軸方向及び基部１０の周方向への移動が制限されている。
ゴム片９２の底面部９１ａとは反対側の面部は、底面部９２ａと平行に形成されている。以下、この底面部９２ａとは反対側の面部を上面部９２ｂと称するとともに、底面部９２ａ及び上面部９２ｂ以外の面部を側面部と称して説明する。
【００２８】
ゴム片９２は、収容部９１の深さ方向に沿った方向（以下、ゴム片９２の高さ方向という）の寸法が収容部９１の深さ寸法よりも大きく形成されており、収容部９１に収容された状態において、その上面部９２ｂがズーム操作筒２０の内周面と接触している。
したがって、ズーム操作筒２０が基部１０に対して回転されると、ゴム片９２は、ズーム操作筒２０との間に発生する摩擦力によって、基部１０の周方向に沿ってせん断力が作用する。
【００２９】
前述の収容部９１に設けられた傾斜面部９１ｂは、レンズ鏡筒１を光軸方向対物側から見て、ズーム操作筒２０が反時計回りに回転されたときに、このせん断力によってゴム片９２が変形する方向の壁面部に形成されている。
ゴム片９２は、光軸Ａに垂直な断面の断面形状が、図４（ａ）に示すように略平行四辺形になっている。以下、ゴム片９２の側面部のうち、底面部９２ａ及び上面部９２ｂに対して傾斜した一組の側面部を傾斜面部９４と称して説明する。
【００３０】
ゴム片９２の傾斜面部９４のうち、一方の傾斜面部９４ａは、収容部９１の傾斜面部９１ｂに接触している。また、他方の傾斜面部９４ｂと収容部９１の壁面部との間には、空間部９５が形成されている（図４（ｃ）参照）。
また、ゴム片９２は、ゴム片９２の底面部９２ａが凹ませて形成された凹部９６を備えている。収容部９１に設けられた凸部９３は、この凹部９６に嵌合している。この凹部９６と凸部９３との間には、隙間が形成されている。
【００３１】
次に、レンズ鏡筒１のズーム操作時の動作を説明する。
カメラの撮影者は、ズーム操作筒２０を基部１０に対して光軸回りに回転させることによって、レンズ鏡筒１に備えられたズームレンズの焦点距離を変更する。
ズーム操作筒２０が回転すると、これに連動してカム筒４０が回転する。カム筒４０は、カム溝４１を備えており、このカム溝４１に挿入されたカムフォロワピン５１、７１、８１を押圧する。カムフォロワピン５１は、直進案内溝３１に、カムフォロワピン７１、８１は、直進案内溝３２にそれぞれ挿入されているので、第１群保持筒５０、第３群保持枠７０、及び、第４群保持枠８０は、それぞれ光軸方向に推進される。
【００３２】
ここで、レンズ鏡筒１を光軸方向対物側から見た場合、ズームレンズをワイド側からテレ側に駆動する際（ズームアップ動作時）、ズーム操作筒２０は、例えば、光軸回りに反時計回りに回転される（図４（ｃ）参照）。
ゴム片９２は、ズーム操作筒２０の内周面に接触しており、カメラのユーザは、ズーム操作筒２０を光軸回りに回転させると、ゴム片９２とズーム操作筒２０との間に発生する摩擦力による回転抵抗によって良好な操作感を得ることができる。
【００３３】
また、ゴム片９２は、収容部９１に収容された状態において、光軸方向及び基部１０の周方向への移動が制限されており、かつ、上面部９２ｂがズーム操作筒２０と接触している。したがって、ズーム操作筒２０が光軸回りに回転すると、ゴム片９２は、これらの間に発生する摩擦力によって光軸回りのせん断力が作用する。
ここで、収容部９１の傾斜面部９１ｂは、ズーム操作筒２０を反時計回りに回転させる際に、ゴム片９２がこのせん断力によって変形する方向の面部に形成されているので、この傾斜面部９１ｂによってせん断方向への変形が制限され、ゴム片９２とズーム操作筒２０との間の摩擦力は、略一定に維持される。
【００３４】
これに対し、ズーム操作筒２０は、レンズ鏡筒１を光軸方向対物側から見た場合、ズームレンズをテレ側からワイド側に駆動する際（ズームダウン動作時）、例えば、光軸回りに時計回りに回転される（図４（ｂ）参照）。
この場合も、ゴム片９２は、ズーム操作筒２０との間に発生する摩擦力によって光軸回りのせん断力が作用する。
抵抗付与部９０は、ゴム片９２と収容部９１の壁面部との間に空間部９５が形成されているので、ゴム片９２は、このせん断力によって変形する。
また、収容部９１の傾斜面部９１ｂに対向する壁面部は、収容部９１の底部９１ａに略垂直なので、光軸Ａに直交する断面が略平行四辺形であるゴム片９２が光軸回りのせん断力によって変形すると、その断面形状が光軸Ａに垂直な断面視において、図４（ｂ）に示すように略長方形となる。
【００３５】
ゴム片９２は、体積が概ね一定とされた状態で変形するので、断面形状が略平行四辺形から略長方形となることによって、その高さ方向の寸法が大きくなる。
ゴム片９２の高さ方向寸法が大きくなると、ゴム片９２がズーム操作筒２０を押圧する押圧力が向上し、ゴム片９２とズーム操作筒２０との間の摩擦力が向上する。
このように、ズーム操作筒２０は、光軸回りの回転方向によってゴム片９２との間の摩擦力が変化する。そして、撮影者がズーム操作筒２０を操作する際に要求される入力量は、ズームダウン操作をするときのほうが、ズームアップ操作をするときよりも大きくなる。
【００３６】
以上、説明したように、本実施形態のレンズ鏡筒１によれば、以下の効果を得ることができる。
（１）例えば、撮影者が斜め上方の被写体を撮影する場合、第１群保持筒５０、第３群保持枠７０、第４群保持枠８０のカムフォロワピン５１、７１、８１は、各レンズの自重によってズームレンズをズームダウンさせる方向にカム筒４０を押圧する。
したがって、この撮影位置で撮影者がズーム操作筒２０を操作する際に要求される入力量は、ズームダウン操作を行うときよりもズームアップ操作を行うときのほうが大きい。
ここで、レンズ鏡筒１の抵抗付与部９０は、ズーム操作筒２０をズームダウン操作する際の回転抵抗を向上させるので、ズームアップ操作時及びズームダウン操作時に撮影者に要求される入力量を均一にすることができる。したがって、レンズ鏡筒１は、操作性が向上する。
【００３７】
（２）さらに、カム筒４０に形成されたカム溝４１は、第４群駆動カム溝４４がワイド側の領域に非駆動領域４４ａを備えるとともに、第３群駆動カム溝４３の勾配がワイド側の領域においてテレ側の領域よりも緩くなっている。
したがって、例えば、撮影者が斜め上方の被写体を撮影する場合、カムフォロワピン７１、８１がそれぞれカム溝４３、４４のテレ端寄りの領域にある程、これらがワイド端寄りにある場合に比べて、これらのカムフォロワピン７１、８１がカム筒４０を回転させる押圧力が向上するので、ズームレンズが自重によってワイド側に移動する可能性、すなわち、撮影者の意図しないズームダウン操作が行われる可能性が上昇する。
これに対し、本実施形態のレンズ鏡筒１は、ズームダウン操作時におけるカム筒４０の回転抵抗が向上するので、上記のように意図しないズームレンズのワイド側への移動を防止できる。
（３）ゴム片９２の凹部９６と収容部９１の凸部９３との間に隙間を設けたから、ゴム片９２が変形しやすく、これによって、ゴム片９２の断面形状を確実に変形させることができる。
【００３８】
（変形形態）
以上説明した実施形態に限定されることなく、種々の変形や変更が可能であって、それらも本発明の技術的範囲内である。
（１）本発明の光学機器は、実施形態においてレンズ鏡筒であったが、これに限られず、例えば、望遠鏡、双眼鏡、顕微鏡、測量機器等であってもよい。また、弾性部材の形状、材質は、実施形態に記載したものに限られず、適宜変更が可能である。
（２）本発明の光学機器の構成は、実施形態に記載したものに限られず適宜変更が可能である。例えば、実施形態は、光軸回りに回転するズーム操作筒と基部との間の摩擦力を向上させたが、これに限らず、例えば、カム筒と固定筒との間に抵抗付与部を設けてもよい。また、抵抗付与部は、回転部材を操作する際の摩擦力を向上させるものに限らず、例えば、光軸方向に直進する直進筒と固定筒との間に設けてもよい。さらに、操作部材は、ズーム操作用の部材に限らず、例えば、フォーカシング用の操作環等の他の操作部材であってもよい。
（３）実施形態の抵抗付与部は、ズーム操作筒をテレ側からワイド側に回転させる際に回転抵抗を向上させるものであったが、これとは逆に、ワイド側からテレ側に回転させる際に回転抵抗を向上させるようにしてもよい。
（４）実施形態は、抵抗付与部が光軸回りに３箇所設けられていたが、抵抗付与部の配置個数は、これに限らず、１箇所や２箇所でもよく、また、４箇所以上であってもよい。
（５）実施形態のゴム片は、収容部に収容されていたが、これに限らず、ゴム片は、例えば、基部の外周面に直接設けられていてもよい。この場合であっても、ゴム片の形状差に起因して、ズーム操作筒の回転方向に応じて回転抵抗が変化するので、操作感を向上させることができる。
【図面の簡単な説明】
【００３９】
【図１】実施形態のレンズ鏡筒の光軸を含む断面図である。
【図２】図１のレンズ鏡筒に備えられたカム筒の内周面の展開図である。
【図３】図１のIII−III矢視部断面図である。
【図４】図３のIV部拡大図である。
【符号の説明】
【００４０】
１  レンズ鏡筒  ：  １０  基部  ：  ２０  ズーム操作筒  ：  ９０  抵抗付与部  ：  ９１  収容部  ：  ９２  ゴム片  ：  Ｌ１  第１レンズ群  ：  Ｌ２  第２レンズ群  ：  Ｌ３  第３レンズ群  ：  Ｌ４  第４レンズ群
【図１】
2008052219.tif 000003
【図２】
2008052219.tif 000004
【図３】
2008052219.tif 000005
【図４】
2008052219.tif 000006